(57)【特許請求の範囲】
【請求項１】
コンピュータとの通信機能を備え、電源回路を有するディスプレイ装置において、
１つ以上の周辺機器を接続可能な複数のダウンポートを含むハブと、
前記電源回路から前記ハブへ電力を供給可能な第１の配電手段と、
前記コンピュータと接続可能な端子を介して前記コンピュータから前記ハブに電力を供給可能な第２の配電手段と、
前記２つの配電手段の切り替え制御、または前記２つの配電手段を併用する制御を可能とする電源切り替え手段を含むハブ制御部とを有し、
前記ハブ制御部は、前記ハブへの電力供給を前記第１の配電手段から前記第２の配電手段に切り替えた場合において、前記第２の配電手段による前記ハブへの供給電流量の上限が前記第１の配電手段による前記ハブへの電流供給量の上限よりも小さいときは、前記各ダウンポートへの電流量の割り当てを制御することを特徴とするディスプレイ装置。
【請求項２】
コンピュータとの通信機能を備え、電源回路を有するディスプレイ装置において、
１つ以上の周辺機器を接続可能な複数のダウンポートを含むハブと、
前記電源回路から前記ハブへ電力を供給可能な第１の配電手段と、
前記コンピュータと接続可能な端子を介して前記コンピュータから前記ハブに電力を供給可能な第２の配電手段と、
前記２つの配電手段の切り替え制御、または前記２つの配電手段を併用する制御を可能とする電源切り替え手段を含み、該電源切り替え手段によって選択された電源を、前記ハブの各ダウンポートに接続された周辺機器に対し個別に供給制御可能なハブ制御部とを有し、
前記ハブ制御部は、前記ハブへの電力供給を前記第１の配電手段から前記第２の配電手段に切り替えた場合において、前記第２の配電手段による前記ハブへの供給電流量の上限が前記第１の配電手段による前記ハブへの電流供給量の上限よりも小さいときは、前記各ダウンポートへの電流量の割り当てを制御することを特徴とするディスプレイ装置。
【請求項３】
請求項１または２に記載のディスプレイ装置において、
前記ハブ制御部による前記各ダウンポートへの電流量の割り当て制御は、前記ダウンポートの数、または前記ダウンポートに接続される周辺機器の数に応じて行われることを特徴とするディスプレイ装置。
【請求項４】
請求項１または２に記載のディスプレイ装置において、
前記ハブ制御部による前記各ダウンポートへの電流量の割り当て制御は、前記ダウンポート毎に予め設定された電流供給に関する優先順位、または前記ダウンポート毎に予め設定された電流量に応じて行われることを特徴とするディスプレイ装置。
【請求項５】
請求項１または２に記載のディスプレイ装置において、
前記電源切り替え手段による電源供給の制御を、手動操作により行うことを可能とすることを特徴とするディスプレイ装置。
【請求項６】
コンピュータとの通信機能を備え、電源回路を有する信号処理装置において、
１つ以上の周辺機器を接続可能な複数のダウンポートを含むハブと、
前記電源回路から前記ハブへ電力を供給可能な第１の配電手段と、
前記コンピュータと接続可能な端子を介して前記コンピュータから前記ハブに電力を供給可能な第２の配電手段と、
前記２つの配電手段の切り替え制御、または前記２つの配電手段を併用する制御を可能とする電源切り替え手段を含むハブ制御部とを有し、
前記ハブ制御部は、前記ハブへの電力供給を前記第１の配電手段から前記第２の配電手段に切り替えた場合において、前記第２の配電手段による前記ハブへの供給電流量の上限が前記第１の配電手段による前記ハブへの電流供給量の上限よりも小さいときは、前記各ダウンポートへの電流量の割り当てを制御することを特徴とする信号処理装置。
【請求項７】
コンピュータとの通信機能を備え、電源回路を有する信号処理装置において、
１つ以上の周辺機器を接続可能な複数のダウンポートを含むハブと、
前記電源回路から前記ハブへ電力を供給可能な第１の配電手段と、
前記コンピュータと接続可能な端子を介して前記コンピュータから前記ハブに電力を供給可能な第２の配電手段と、
前記２つの配電手段の切り替え制御、または前記２つの配電手段を併用する制御を可能とする電源切り替え手段を含み、該電源切り替え手段によって選択された電源を、前記ハブの各ダウンポートに接続された周辺機器に対し個別に供給制御可能なハブ制御部とを有し、
前記ハブ制御部は、前記ハブへの電力供給を前記第１の配電手段から前記第２の配電手段に切り替えた場合において、前記第２の配電手段による前記ハブへの供給電流量の上限が前記第１の配電手段による前記ハブへの電流供給量の上限よりも小さいときは、前記各ダウンポートへの電流量の割り当てを制御することを特徴とする信号処理装置。
【請求項８】
請求項６または７に記載の信号処理装置において、
前記電源切り替え手段による電源供給の制御を、手動操作により行うことを可能とすることを特徴とする信号処理装置。
【請求項９】
外部装置から電力の供給を受けることによっても動作可能な信号処理装置において、
１つ以上の周辺機器を接続可能な複数のダウンポートを含むハブと、
前記外部装置と接続可能な端子を介して前記外部装置から供給される電力を、前記ハブのダウンポートを介して前記周辺機器に配電可能であり、個々の周辺機器に対して電力を供給する制御を独立して行うことを可能とする電源制御手段とを有し、
前記電源制御手段は、前記ハブの各ダウンポートに接続される周辺機器の消費電力が前記外部機器からの電力供給量の規定値を超える場合に、前記各ダウンポートへの電流量の割り当てを制御することを特徴とする信号処理装置。
【請求項１０】
請求項９に記載の信号処理装置において、
前記電源制御手段による前記各ダウンポートへの電流量の割り当て制御は、前記ダウンポートの数、または前記ダウンポートに接続される周辺機器の数に応じて行われることを特徴とする信号処理装置。
【請求項１１】
請求項９に記載の信号処理装置において、
前記電源制御手段による前記各ダウンポートへの電流量の割り当て制御は、前記ダウンポート毎に予め設定された電流供給に関する優先順位、または前記ダウンポート毎に予め設定された電流量に応じて行われることを特徴とする信号処理装置。
【発明の詳細な説明】
【０００１】
【発明の属する技術分野】
本発明は、電源あるいは電源制御手段を有する装置全般に関し、特にコンピュータ端末等の表示装置であって、パーソナルコンピュータやワークステーション等のコンピュータ（以下、ＰＣと略す。）との通信機能を有するディスプレイ装置に関する。
【０００２】
【従来の技術】
近年、オペレーティングシステムソフトウェアのグラフィカルユーザーインターフェイスの進歩とともに、ＰＣが急速に普及してきており、そこでは多種多様な周辺機器とＰＣを接続することが多くなってきている。
【０００３】
一方、周辺機器の接続端子は各々形状が異なったり、あるいはドライバソフトをインストールするなどの初期設定が必要であったが、それを解決するためにプラグアンドプレイ機能が登場してきた。最近ではプラグアンドプレイ機能を実現するために、上記周辺機器とＰＣ間で通信を行い、初期設定作業の自動化が考慮されている。更に、ＰＣの使用者の利便性を向上させるため、形状の統一されたコネクタや、ＰＣと周辺機器間の接続媒体となるハブ機能が必要となっている。また、上記通信ではマウスやキーボードなどの電源を持たない機器も動作させるために、電源の供給もあわせて行っている。電源の供給源としてはＰＣやハブ等が受け持つが、ハブの場合には、元々自身で電源を有するディスプレイ装置等に備えられることが望まれている。上記内容の具体例としては１９９６年７月１５日発行の「日経パソコン」７月１５日号（２１４〜２１９ページ）に記載されている。
【０００４】
更にプラグアンドプレイの概念として、ＰＣの使用者に対して利便性を提供するという面では、現在のディスプレイシステムは周辺機器の接続情報を一覧で見渡す機能がないため、ユーザー側で周辺機器の接続状態や、接続機器の動作状態などの情報を得るのが困難であった。
【０００５】
【発明が解決しようとする課題】
上記の様な方式による電力供給では、以下の問題が生じる。
【０００６】
通信機能とハブ機能を有しているディスプレイ装置において、ディスプレイ装置が従来対応している省電力機能が作動した場合に、通信線を介してＰＣから供給される電源供給でハブ機能への電力供給を行ったとしても、供給電力値よりハブに接続される周辺機器の消費電力値が大きくなってしまう可能性がある。その場合の、不安定な電力供給が原因でＰＣ及び周辺機器を含む通信システム全体に影響を及ぼす不具合が生じる。
【０００７】
本発明の目的は、安定したプラグアンドプレイ機能を実現するために、ディスプレイ装置に接続される周辺機器への電力の供給を、ディスプレイ装置の有する自己の電源供給と通信手段等に伴う電源供給とから行うことを可能とするディスプレイ装置を提供することにある。
【０００８】
またディスプレイ装置に限らず一般機器においても、その一般機器に接続される周辺機器への電力供給を、その一般機器のもつ電源供給手段とその一般機器と通信される他の機器（例えばＰＣ）からの電源供給とで行うことを可能とする電源制御手段を有する一般機器を提供することにある。
【０００９】
また本発明の更なる目的として、ＰＣの利用者に対する利便性の向上を図るために、通信線に接続される機器の情報を表示することによる情報提供を可能とするディスプレイ装置を提供することにある。
【００１０】
【課題を解決するための手段】
本発明は、上記課題を解決するために、コンピュータとの通信機能を備え、電源回路を有するディスプレイ装置において、１つ以上の周辺機器を接続可能な複数のダウンポートを含むハブと、前記電源回路から前記ハブへ電力を供給可能な第１の配電手段と、前記コンピュータと接続可能な端子を介して前記コンピュータから前記ハブに電力を供給可能な第２の配電手段と、前記２つの配電手段の切り替え制御、または前記２つの配電手段を併用する制御を可能とする電源切り替え手段を含むハブ制御部とを有し、前記ハブ制御部は、前記ハブへの電力供給を前記第１の配電手段から前記第２の配電手段に切り替えた場合において、前記第２の配電手段による前記ハブへの供給電流量の上限が前記第１の配電手段による前記ハブへの電流供給量の上限よりも小さいときは、前記各ダウンポートへの電流量の割り当てを制御することを特徴とする。
【００１１】
また本発明は、外部装置から電力の供給を受けることによっても動作可能な信号処理装置において、１つ以上の周辺機器を接続可能な複数のダウンポートを含むハブと、前記外部装置と接続可能な端子を介して前記外部装置から供給される電力を、前記ハブのダウンポートを介して前記周辺機器に配電可能であり、個々の周辺機器に対して電力を供給する制御を独立して行うことを可能とする電源制御手段とを有し、前記電源制御手段は、前記ハブの各ダウンポートに接続される周辺機器の消費電力が前記外部機器からの電力供給量の規定値を超える場合に、前記各ダウンポートへの電流量の割り当てを制御することを特徴とする。
【００１２】
更に本発明は、上記の課題を解決するために、ディスプレイ装置の有するハブに繋がる周辺機器情報をオンスクリーンディスプレイ機能を利用しユーザーに提供する手段と、ＰＣ以下全ての周辺機器情報をツリー構造状等の階層構成として表示しユーザーに提供する手段を有するものである。
【００１３】
【発明の実施の形態】
以下、本発明の実施の形態を図面を用いて説明する。
【００１４】
図１は本発明による実施の形態を示すシステムブロック図であり、１が本発明における一実施形態であるディスプレイ装置である。図１において、１は本発明のディスプレイ装置、２はコンピュータ、３はＲ、Ｇ、Ｂの映像信号入力端子、４は垂直同期信号および水平同期信号の入力端子、５はハブ制御部をコンピュータ側と接続するアップポート端子、６〜９はハブ制御部と周辺機器を接続するダウンポート端子、１０は映像信号処理を行うビデオ回路、１１は駆動回路、１２は表示ユニット、１３はディスプレイ全体の制御を行うディスプレイ制御部、１４はアップポートとダウンポートとを有するハブの通信制御を統括し、ダウンポートへの電源制御を行うハブ制御部、１５、１６はそれぞれ周辺機器の一例としてのマウス及びキーボードである。
【００１５】
図１のシステムブロックにおいて、コンピュータ２はパーソナルコンピュータやワークステーションに限らず、演算処理機能を有し映像出力手段を有する装置全般を指すものであるとする。コンピュータ２からの信号を受けるディスプレイ装置１の映像信号入力端子３及び、垂直同期信号および水平同期信号の入力端子４は別々の端子である必要はなく、一つの端子に含められる構成であっても構わない。コンピュータ２は従来の映像信号、水平及び垂直の同期信号（以下、それぞれＨｓｙｎｃ,Ｖｓｙｎｃと略す。）の出力端子である画像表示信号出力端子２０１の他に、周辺機器とのプラグアンドプレイ機能を提供するための通信端子２０２を備えており、通信端子２０２からの通信線は本実施の形態におけるディスプレイ装置１のアップポート５に接続される。またこの通信線を介してコンピュータ２側からの電源供給が行われハブ制御部１４に供給される。
【００１６】
本実施の形態では、ディスプレイ装置１のダウンポート端子にはマウス１５及びキーボード１６を接続するものとして説明する。また、本実施の形態では接続可能な周辺機器を４台までということでダウンポートの数は４個としているが、もちろんそれ以上でも以下でも良い。
【００１７】
ビデオ回路１０はコンピュータ２から入力されたＲ、Ｇ、Ｂの映像信号に増幅、振幅調整等の信号処理を施し、表示ユニット１２へ信号を送る。ディスプレイ制御部１３はコンピュータ２から入力されたＨｓｙｎｃ信号、Ｖｓｙｎｃ信号から入力映像信号仕様を判別し、ビデオ回路１０及び、駆動回路１１を制御する。駆動回路１１は前記ディスプレイ制御部１３からの制御及び、コンピュータ２から入力されたＨｓｙｎｃ信号、Ｖｓｙｎｃ信号に従って表示ユニット１２を駆動する。
【００１８】
本実施の形態においてはハブに接続される周辺機器への電源供給をアップポート５とディスプレイ装置１からの電源供給によりまかない、それぞれの周辺機器への電源供給を制御するハブ制御部１４をディスプレイ装置１に設けたことが特徴である。本実施の形態により、アップポート５に接続されるコンピュータ２とダウンポートに接続される周辺機器のハブを介した通信が適切に行われることが可能となる。またディスプレイ装置１のパワーセーブモードにも適切に応じることにより、通信が支障なく行われることが可能となる。次にこのハブ制御部１４の実施の形態を以下、詳細に説明する。
【００１９】
図２は、本発明の実施の形態を示す図である。図２において１７はハブ制御部１４の制御を行うマイコンであるハブコントローラ、１８、１９、２０、２１はダウンポート電源制御ブロックである。これらのダウンポート制御ブロックには電源制御部が備えられる。図２ではダウンポート制御ブロック１８のみに電源制御部２２が具備されていることが図示されているが、他のダウンポート制御ブロック１９、２０、２１も同様の構成をもっている。ダウンポート制御ブロック１８、１９、２０、２１にはコンピュータ２からアップポート５を介して供給されるアップポート電源＋Ｖｕ及びディスプレイ装置内部の電源回路（図示せず）から供給されるディスプレイ本体電源＋Ｖｄが入力される。ここで、アップポート電源＋Ｖｄ、ディスプレイ本体電源＋Ｖｄの電源供給は配電手段を介してハブに供給可能とされる。ハブコントローラ１７は、ダウンポート６、７、８、９への電力供給源として上記のどちらかの供給電源を選択、または両方の供給電源が併用される。両方の供給電源を併用する場合は図示してないが、ダウンポート制御ブロック内のスイッチ部分を常時双方に接続する回路に変えることで、実現可能である。
【００２０】
ここでは上記２つの電源供給を選択する場合の形態を考える。この選択の基準としては様々な状況が考えられるが、本実施の形態ではディスプレイ装置１が通常のモードからパワーセーブモードに切り換わることに伴い、ディスプレイ本体電源＋Ｖｄとアップポート電源＋Ｖｕとの電源供給の切り換えがされる場合を考える。この場合、通常はディスプレイ本体電源＋Ｖｄがダウンポートに供給されているが、ディスプレイ装置１が省電力機能によるパワーセーブモードに切り換わった時にディスプレイ本体電源＋Ｖｄが停止してしまう場合があるので、ディスプレイ本体電源＋Ｖｄの供給が停止された場合にハブコントローラ１７によりダウンポートへの電源供給をアップポート電源＋Ｖｕからの電源供給に切り換える制御を行う。
【００２１】
また、ハブコントローラ１７による電源供給の切り換え制御は、ハブコントローラ１７がダウンポート制御ブロック１８、１９、２０、２１内の各電源制御部へ制御信号を送信して、各ダウンポート６、７、８、９への電源供給を個別に制御することが可能である。各ダウンポートへの電源供給の個別の制御は、ハブへの電力供給がディスプレイ本体電源＋Ｖｄによりされている場合でも、アップポート電源＋Ｖｕによりされている場合でも可能である。ハブコントローラ１７は、アップポート５及びダウンポート６、７、８、９との双方向の信号線で通信可能であり、その通信により周辺機器情報を取得し、ディスプレイ制御部１３へ報告する機能を有する。この通信機能により、ダウンポート６、７、８、９に接続される周辺機器が自己電源を持つかどうか等の情報をハブコントローラ１７は得ることが可能である。
【００２２】
また、ハブコントローラ１７はディスプレイ制御部１３からパワーマネージメント情報を受けて、ダウンポート制御ブロック１８、１９、２０、２１内の電源制御部へ制御信号を送信して、各ダウンポート６、７、８、９への電力供給を個別に制御可能とするものである。またハブコントローラ１７自体はアップポート電源＋Ｖｕ及びディスプレイ本体電源＋Ｖｄの少なくとも一方が供給されると動作する構成を取っている。
【００２３】
次に図３の動作フローチャートに基いて図１及び図２の各部の動作の詳細を説明する。
【００２４】
まずハブ制御部１４につながるアップポート端子５に、コンピュータ２からの通信線が接続される（ステップ３００）と、アップポート端子５またはディスプレイ１の本体から供給される電源より、ハブコントローラ１７に電源が供給され動作可能となる（３０１）。次にディスプレイ本体電源＋Ｖｄが供給されているかどうかを、ハブコントローラ１７により確認する（３０２）。ディスプレイ本体電源＋Ｖｄが供給されていた場合、ハブコントローラ１７はダウンポート電源制御ブロック１８、１９、２０、２１の電源切替スイッチをディスプレイ本体側へ倒すよう各々の電源制御部に命令する（３０３）。各電源制御部にはディスプレイ装置１の本体電源＋Ｖｄが供給されるので、ハブコントローラ１７の命令により各ダウンポート６、７、８、９への供給電流を決定する（３０４）。
【００２５】
その後もダウンポート電源制御ブロック１８、１９、２０、２１により、各ダウンポート６、７、８、９の消費電流を監視し（３０５）、所定の電流以上の過電流が流れるとダウンポート６、７、８、９のうち該当するダウンポートを、ハブコントローラ１７の指示により遮断すると共に電源の供給を停止することを可能とする。この様に該当するダウンポートに接続される周辺機器への電源供給を停止することにより、ハブに接続される他の周辺機器とコンピュータ２とのハブを介した通信が正常に保たれ、安定した通信を行うことが可能となる。また、該当するダウンポートへの電源供給を停止する際に、ハブコントローラ１７が停止情報をアップポート５を介してコンピュータ２に送信することが可能で、その情報を受けたコンピュータ２の制御によりディスプレイ装置１に、電源供給停止情報を表示させることが可能である。この機能により、使用者はどの周辺機器が停止状態になっているのかを知ることができる。
【００２６】
ここでハブコントローラ１７は、接続されている周辺機器が自己で電源を確保している周辺機器か、あるいはマウスやキーボードのように供給電源をアップポート５に接続される通信線より又はディスプレイ装置１より確保する必要のある周辺機器かを、各ダウンポート６、７、８、９との通信により判断する。ダウンポートに接続される周辺機器が自己で電源を確保する手段を有している場合は、ハブコントローラ１７はその周辺機器がハブから電源供給を受けないよう制御する制御信号をその周辺機器が接続されるダウンポートの電源制御部に送信する。
【００２７】
この制御の例としては、スイッチ接続をどちら側にもしないという制御がある。また、ダウンポート制御ブロックの有する電源切替スイッチを、アップポート電源とディスプレイ本体電源のうち、電源供給の停止されている方へ切り替えることによっても、ハブを介した電源供給を受けないよう制御を実現することができる。
【００２８】
一方、ハブに接続される周辺機器が自己電源を有さない場合、ハブコントローラ１７は、その周辺機器の電源制御を行うダウンポート電源制御ブロックを制御し、パワーセーブモードでない通常の状態では、ディスプレイ本体電源側の電源供給＋Ｖｄを選択するよう制御される。
【００２９】
次にディスプレイ装置１の省電力機能に対応するために、ディスプレイ制御部１３はパワーマネージメント情報を監視する（３０６）。ディスプレイ制御部１３には、図１の入力端子４から、コンピュータ２の出力するＨｓｙｎｃ信号、Ｖｓｙｎｃ信号が入力される。ディスプレイ制御部１３はこのＨｓｙｎｃ信号またはＶｓｙｎｃ信号の有無等によりパワーマネージメント情報を認識することが可能であり、そのパワーマネージメント情報のパワーセーブ情報を受けとるとディスプレイの消費電力を低減させるようにディスプレイ制御部１３は制御を行う。
【００３０】
本実施の形態ではディスプレイ制御部１３が検出したパワーマネージメント情報を、ハブコントローラ１７にも通知することで、ハブに接続される周辺機器の電源制御を行う。すなわち、ハブコントローラ１７はディスプレイ制御部１３より、パワーマネージメント情報を受け取ると（３０６）、ダウンポート電源制御ブロック１８、１９、２０、２１の電源切替スイッチをアップポート電源側へ倒し（３０７）、その切替制御により各電源制御部へアップポート電源＋Ｖｕを供給することが可能となる。
【００３１】
ディスプレイ装置１からハブへの電源供給を行っている通常の電源供給状態からパワーセーブモードへの移行の場合は、上記のようにアップポート電源＋Ｖｕへの切替が行われるが、その場合に限らず、例えば不意にディスプレイ本体の電源供給が絶たれた場合にも、ハブコントローラ１７の制御によりダウンポート電源制御ブロック１８、１９、２０、２１の電源切替スイッチをアップポート電源側へ倒し（３０７）、通信線を介して供給されるアップポート電源＋Ｖｕにより、コンピュータ２とディスプレイ装置１との通信、及びコンピュータ２とマウスやキーボード等の周辺機器との通信を提供することが可能とされる。
【００３２】
ここでコンピュータ２からの通信線から供給可能な電流容量が規定されているとした場合、単にディスプレイ装置１からの電源供給＋Ｖｄをアップポート電源＋Ｖｕに切り替えるだけでは、ハブに接続される周辺機器の消費電力の方が規定されている電力供給値を超えてしまう場合が生じ、その場合に、ハブに接続される周辺機器の動作が不安定になる等の恐れがある。それを解決するために、アップポート電源＋Ｖｕの電流容量の上限がディスプレイ本体電源＋Ｖｄより小さい場合は、ディスプレイ本体電源＋Ｖｄの使用時と比較して、周辺機器へ供給される電流量の総和を少なく制限するよう設定し（３０９）、規定値を超える周辺機器への電力供給を停止する制御を行う（３１０）。例えばダウンポート６、７、８、９に接続される周辺機器全てが、自己電源で動作するものであれば問題はないが、マウスやキーボードのようにディスプレイのアップポート電源を使用して通信動作を行う周辺機器の場合には、アップポート電源＋Ｖｕの供給できる定格電流値を超えてしまい、幾つかの周辺機器が動作不可となり、他の周辺機器への動作にも影響を与えてしまう可能性がある。この場合において周辺機器への電源制御はハブコントローラ１７により個別に行うことが可能であり、ハブに接続される周辺機器に割り当てられる供給電流量（３０９）をどのように決定するのかの基準、またはどの周辺機器への電力供給を停止させるか（３１０）の基準は幾通りも存在する。周辺機器に割り当てられる供給電流量（３０９）をどのように決定するのかの基準としては、以下の４つが例示できる。
【００３３】
（１）規定電流量を、ハブの有するダウンポートの数で等分した電流量をそれぞれの周辺機器に割り当てる。
【００３４】
（２）規定電流量を、ハブに接続される周辺機器の数で等分した電流量をそれぞれの周辺機器に割り当てる。ハブコントローラ１７とそれぞれのダウンポートとの通信により、ハブコントローラ１７はダウンポートに周辺機器が接続されているかどうかを認識することが可能であり、その情報に基ずく制御により周辺機器が接続されるダウンポートの数で等分された電流量の供給が可能となる。
【００３５】
（３）ダウンポートにあらかじめつけられた番号、またはマニュアル操作によりつけられる番号を、そのダウンポートへの電流供給の優先順位とした電流量の動的な割り当てを行う。動的な割り当てにより、優先順位が上位の周辺機器の消費電力が増した場合でも、上位の周辺機器は優先順位が下位の周辺機器より優先的に電力供給を受けることができ、周辺機器の消費電力の変化に応じた電流供給が可能となる。
【００３６】
（４）ダウンポートへの電流供給を静的に割り当てる。静的な割り当てとは、単に等分された電流量をそれぞれの周辺機器へ供給するだけではなく、あらかじめそれぞれのダウンポートへの電流量を適切に設定しておく割り当て方法である。この割り当て方法により、消費電力の多い周辺機器は、割り当てられた電流量が多いダウンポートに接続し、消費電力の少ない周辺機器は、割り当てられた電流量が少ないダウンポートに接続することにより、それぞれの周辺機器へ安定した電流供給を行うことを可能とする。
【００３７】
上記の４つの基準に応じ、どの周辺機器への電力供給を停止させるか（３１０）の基準としては、以下のようになる。
【００３８】
（１）ダウンポートの数で等分されて割り当てられた電流量に対し、周辺機器の消費電流がその割り当て量を超えた場合、その周辺機器への電力供給を停止する。
【００３９】
（２）ハブに接続される周辺機器の数で等分されて割り当てられた電流量に対し、周辺機器の消費電流がその割り当て量を超えた場合、その周辺機器への電力供給を停止する。
【００４０】
（３）ハブに接続される周辺機器全体の消費電流量が規定値を超えたら、優先順位の低い周辺機器から電力供給を停止する。
【００４１】
（４）それぞれのダウンポートに静的に割り当てられた電流量に対し、そのダウンポートに接続される周辺機器の消費電力が割り当て電流量を超えてしまった場合に、その周辺機器への電流供給を停止する。
【００４２】
ここでは、４つの基準の形態を示したが、本発明におけるアップポート電源＋Ｖｕの規定電流量の周辺機器への割り当て、電力供給停止の基準は上記の４つに限定されるものではない。
【００４３】
（１）の基準では、ハブコントローラ１７の指示により等分された供給電流量を超える消費電流量の多いダウンポートとの通信の遮断あるいは、ダウンポート電源制御ブロック１８、１９、２０、２１のうち該当するダウンポート電源制御ブロックの電源制御部へそのダウンポートへの電源供給を停止するよう指示を出す（３１０）。その後もディスプレイ本体電源を使用する場合と同様に、各ダウンポート６、７、８、９の消費電流を監視する（３１１）。またディスプレイ装置１のパワーセーブモードが終了した場合はディスプレイ本体電源がＯＮの状態（３０２）となり、ハブに接続される周辺機器への電力供給はディスプレイ装置１の有する電源からの供給に切り替えることが可能である。
【００４４】
また、本実施の形態では、通信線を介して供給されるアップポート電源を使用した場合の個々の周辺機器の電源制御の形態を説明したが、ディスプレイ本体電源を使用して周辺機器を動作させている状況でも、同様にしてハブコントローラ１７により個々の周辺機器の電源制御を行うことが可能である。
【００４５】
以上説明したようにダウンポート６、７、８、９に供給する電源を、ハブコントローラ１７によりアップポート電源およびディスプレイ本体電源とを切り替え、アップポート電源に切り替えられた場合に、規定電流値をオーバーする周辺機器への電力供給を停止することにより、常にディスプレイ装置１の有するハブ機能をコンピュータ２及び周辺機器のシステムに提供することができる。すなわち、周辺機器の消費電力がアップポート電源＋Ｖｕをオーバーした場合でも、該当する周辺機器への電力供給を停止することにより、ハブに接続される他の周辺機器とコンピュータとの通信が適正に行われ、システム全体としての安定度が保証される。
【００４６】
上記の実施の形態はディスプレイ装置についてのものであるが、ハブを有する機器はディスプレイ装置に限らず、他の同種の機器においても本発明が適用可能である。本発明の一実施形態として、図４にその構成図を示す。図４において４０は本発明の一実施形態である周辺機器である。ハブを有する周辺機器としては例えば、プリンタやデジタル映像再生装置等のデジタル信号処理装置があげられる。これらの周辺機器は一般的に、その周辺機器の外部から電力を受ける手段である自己電源手段を有するものであるが、一般的に自己電源を有さない周辺機器であるキーボード等にも本発明が適用可能である。自己電源を有さない周辺機器の場合は電源供給がコンピュータ２からの通信線を介した配電手段による電源供給になるので、自己電源との切り替え操作がなく、アップポート電源のみの制御となる。
【００４７】
ここでは、図４に示す周辺機器４０は、自己電源手段としての電力をハブへ配電する手段と、通信等によって接続される外部機器からの電力をハブへ配電する手段との２つの手段を有する周辺機器として、以下、実施の形態を説明する。
【００４８】
図４において、４１は周辺機器制御部、４２は周辺機器ファンクションであり周辺機器４０の機能の中枢部である。例えば、周辺機器４０がプリンタであるとした場合、周辺機器ファンクション４２は、プリント出力するデータを記憶するメモリ機能や、そのデータをプリント出力する出力機能となる。図４において、その他、図１と同じ構成部分は図１の構成部分と同等の動作をするものとする。図４で本発明の構成の中心となるのはハブ制御部１４である。
【００４９】
ハブ制御部１４は図１の実施の形態でのハブ制御部１４と同等な働きをする。本実施の形態においても、アップポート５に接続されるコンピュータ２からの通信線を介した電源供給であるアップポート電源＋Ｖｕと、周辺機器４０の自己電源（図示せず）である周辺機器本体電源＋Ｖｐの切替制御をハブ制御部１４が行い、さらにその選択された供給電源をハブのダウンポートに接続される周辺機器へハブ制御部１４の制御により供給される場合を考える。本実施の形態においてもダウンポート６、７、８、９に接続される周辺機器への電力供給は、通常の状態では周辺機器４０からの自己電源である周辺機器本体電源＋Ｖｐによりまかなわれているものとし、周辺機器本体電源＋Ｖｐからアップポート電源＋Ｖｕへの切替制御は、周辺機器４０が通常の使用状態からパワーセーブモードに移行した場合に伴ってなされるものとする。
【００５０】
図４のハブ制御部１４の詳細は、図２で示したハブ制御部１４と同様であり、本実施の形態においては、図２のディスプレイ本体電源＋Ｖｄが周辺機器本体電源＋Ｖｐと置き換え、ディスプレイ制御部１３が周辺機器制御部に４１と置き換わる点が、異なるだけである。
【００５１】
本実施の形態では、周辺機器４０の通常の使用状態において、周辺機器制御部４１からのパワーマネージメント情報のパワーセーブ情報をハブコントローラ１７が受けると、ダウンポート制御ブロック１８〜２１の有するそれぞれの電源制御部を制御し、ダウンポートに接続される自己電源手段を持たない周辺機器への電源供給をアップポート電源＋Ｖｕの電源供給に切り替えることが可能である。また、周辺機器４０の本体電源が落とされた場合でも、ハブコントローラ１７がアップポート電源＋Ｖｕにより、ダウンポートに接続される周辺機器への電源供給を行わせるよう制御することでコンピュータ２とダウンポートに接続される周辺機器との通信が可能である。
【００５２】
本実施の形態における、ハブ制御部１４の電源制御の動作は、図３に示されるフローチャートと同様である。本実施の形態では、図３における（３０１）、（３０２）、（３０３）、（３０４）の「ディスプレイ本体」を「周辺機器本体」に置き換えることにより、図３の実施の形態の場合と同様に説明できる。
【００５３】
以上のように、ハブを有する機器が一般的な周辺機器である場合においても、ディスプレイ装置がハブを有する場合（図１〜図３）の実施の形態と同様に、通信線に伴う電源と本体電源との間での電源の選択が可能とされ、更にハブに接続される周辺機器への個別の制御が可能である。これらの制御により、周辺機器４０のパワーセーブモードへの移行、または自己電源を落とす際でも、ハブへの電源供給が正常に行われ、またハブに接続される個々の周辺機器の制御も適正に行われることが可能となる。
【００５４】
上記の実施の形態では、ハブのダウンポートに接続される周辺機器への電力供給は周辺機器４０の有する自己電源手段である周辺機器本体電源＋Ｖｐと、アップポート電源＋Ｖｕとの切り替えにより、どちらか１つからの供給電源を利用する方式をとっているが、本発明では上記の方式以外の電源供給方式によっても電源制御は実現される。その別の電源供給方式を用いた本発明の更なる実施の形態としての構成図を図５に示す。
【００５５】
図５において、上記の実施の形態と異なる構成部分は、アップポート電源＋Ｖｕと周辺機器本体電源＋Ｖｐの供給方式をマニュアル方式で選択する外部マニュアルスイッチ５０と、その外部マニュアルスイッチ５０に従う電源選択を制御する電源選択回路５１と、電源制御部５２、５３、５４、５５である。上記の実施の形態では、電源制御部と電源切り替え部分とを有するダウンポート電源制御ブロック１８〜２１が設けられていたが、本実施の形態では、外部マニュアルスイッチ５０と電源選択回路５１で選択された供給電源をダウンポートに供給する制御をハブコントローラ１７の制御信号に従って行う電源制御部５２〜５５の構成で実現されている。ここで、電源制御部５２〜５５は図２の電源制御部２２と同等な動作をするものであり、ダウンポートへの供給電流量を測定し、その情報をハブコントローラ１７に送信する機能を有し、ハブコントローラ１７からの制御信号に従い、ダウンポートに接続される周辺機器への電力供給を適切に制御することを可能とする。ただし、本実施の形態ではスイッチ動作は、マニュアル操作によるため、電源制御部５２〜５５は図２における実施の形態でのスイッチ切替の制御は行わない。
【００５６】
この手動方式でアップポート電源＋Ｖｕと周辺機器本体電源＋Ｖｐの選択や併用が調整できることにより、周辺機器４０の省電力機能によらず、マニュアル操作で供給電力の制御が可能となる効果がある。図５の外部マニュアルスイッチ５０と電源選択回路５１の実施の形態として図６に構成図を示す。また本発明における外部マニュアルスイッチ５０の操作プレートの実施の形態を図７に示す。
【００５７】
図６の電源選択回路５１は、アップポート電源＋Ｖｕと周辺機器本体電源＋Ｖｐの入力可能な構成を有しており、外部マニュアルスイッチ５０の手動による電源供給手段の選択操作をすることにより、その選択された電源供給方式に従い、電力をハブコントローラ１７及び各ダウンポート電源制御部に供給する。
【００５８】
図６で、外部マニュアルスイッチ５０の選択肢として、その電源供給方式により
（１）アップポート電源＋Ｖｕと周辺機器本体電源＋Ｖｐの自動選択、または双方からの電源供給を可能とする選択肢（以下、ＡＵＴＯと記す。）。
【００５９】
（２）周辺機器本体電源＋Ｖｐからの電源供給を選ぶ選択肢（以下、ＳＥＬＦと記す。）。
【００６０】
（３）アップポート電源＋Ｖｕからの電源供給を選ぶ選択肢（以下、ＵＰと記す。）。
【００６１】
（４）どちらからの電源供給も行わない選択肢（以下、ＯＦＦと記す。）。
【００６２】
の４つを例示する。
【００６３】
選択肢ＡＵＴＯを選んだ場合は、図６に示す外部マニュアルスイッチを最も左側の部分にあわせることにより（図示される通り）、アップポート電源＋Ｖｕと周辺機器本体電源＋Ｖｐの双方からの電源供給が可能である。これにより、ハブへの電力供給量の総和を増やすことが可能で、ハブのダウンポートに接続される周辺機器の利用の幅が広がる。
【００６４】
選択肢ＳＥＬＦまたは選択肢ＵＰを選んだ場合は、例えば周辺機器４０にパワーセーブ機能がなかったとしても、ＡＵＴＯを選択する場合に比べて少ない電力供給に抑えることができる。すなわち、本実施の形態でのマニュアル操作で、ハブに対する省電力操作を行うことが可能となる。また、ハブに接続される周辺機器を使用しないときには、マニュアル操作で選択肢ＯＦＦを選択し、それによってハブへの電力供給を停止させ、省電力効果の向上を図ることができる。
【００６５】
図７では、外部マニュアルスイッチ５０のスイッチ操作プレートとしての一実施形態を示し、７０はつまみスイッチである。このつまみスイッチ７０を手動で移動させることにより上記の選択肢を選ぶことが可能となる。本実施の形態では、図７の様なスイッチ操作プレートによるマニュアル操作手段を示したが、これ以外にはそれぞれ個々のスイッチボタンを有する操作手段でも、回転式のつまみスイッチによる操作手段でも、液晶パネル等の表示による操作手段であっても良い。
【００６６】
次に、本発明の更なる実施の形態について説明する。図８は本発明による一実施形態を示すシステムブロック図であり、図９は図８におけるハブ制御部１４を詳細に示したシステムブロック図であり、図１０は本実施の形態におけるディスプレイ装置１の画面表示をの例を示した図である。なお図８、図９において図１、図２と対応するものには同一符号をつけている。
【００６７】
図８において８０はオン・スクリーン・ディスプレイ回路であり、２３は周辺機器情報表示要求ボタンである。図１０において２４はオン・スクリーン・ディスプレイ表示ウィンドウである。ディスプレイ装置におけるオン・スクリーン・ディスプレイ機能（以下、ＯＳＤ機能と略す。）は、ディスプレイ装置の表示位置調整や入力映像信号の周波数などのディスプレイ装置に関する情報をディスプレイ装置内部で作成し、入力映像信号に付加し映像出力する手段である。本実施の形態では、ＯＳＤ機能を利用して、ディスプレイ装置１のハブ制御部１４に接続された周辺機器の種類、周辺機器の製造業者、周辺機器の型番や製品番号などを画面表示するものである。以下、図８及び図９のシステムブロック図を用いて説明する。
【００６８】
図８において、ディスプレイ装置１としての全体動作は上記の電源制御についての実施の形態と同様であるので、本実施の形態の構成の中心であるＯＳＤ回路８０及び周辺機器情報表示要求ボタン２３の機能について以下に詳細に説明する。また図９において、ＯＳＤ機能をサポートするため、ＯＳＤ情報を受けるディスプレイ制御部１３に、ＯＳＤ情報を記憶するメモリ９０と、メモリ９１に記憶されるＯＳＤ情報を新しい情報に更新する制御を行うメモリ更新制御部９１とを設けている。これらの機能についても以下に説明する。
【００６９】
まずハブ制御部１４はダウンポート６、７、８、９との通信線から周辺機器の情報を取得して、取得した情報をディスプレイ制御部１３へＯＳＤ情報として転送する。ディスプレイ制御部１３の有するメモリ９０はＯＳＤ情報を保持し、ハブ制御部１４から新たなＯＳＤ情報を受信すると、メモリ更新制御部の制御により、メモリ９０の保持しているＯＳＤ情報を新たなＯＳＤ情報に更新する。ここで、周辺機器情報表示ボタン２３が押されると、ディスプレイ制御部１３は、保持しているＯＳＤ情報を表示するため、ＯＳＤ回路８０に指示を出し、ＯＳＤ信号を発生させビデオ回路１０に送信する。ビデオ回路１０は映像信号とＯＳＤ信号を加算して、表示ユニット１２へデータを送信する。本実施の形態では、メモリ９０とメモリ更新制御部９１はディスプレイ制御部１３に含まれる構成でもって説明したが、ディスプレイ制御部１３の外部にあっても良い。
【００７０】
図１０はＯＳＤ機能を利用した周辺機器情報のディスプレイ画面上の表示例であり、各ダウンポートに接続された周辺機器情報を視覚的に表示することで、ディスプレイ装置やＰＣの使用者へ容易に周辺機器情報を提供することができる。図１０の２４はＯＳＤ表示ウィンドウであり、ハブに接続される周辺機器情報の表示の一例を示す。ＯＳＤ表示ウィンドウ２４において、ＰＯＲＴ１には何も接続されていないか、接続されていても使用不能な状態であることを示し、ＰＯＲＴ２にはマウスが接続されていることを示し、ＰＯＲＴ３にはキーボードが接続されていることを示し、ＰＯＲＴ４には他の機器が接続されていることを示している。図１０ではＯＳＤ表示ウィンドウ２４に示す様に、文字による周辺機器情報の提供を行っているが、視覚的にアイコン等の表示でも情報提供を行うことが可能である。
【００７１】
ここで、ダウンポートに接続される周辺機器の状態に変化があった場合や、不意にハブ制御部１４と周辺機器との通信または接続が絶たれた場合には、ハブコントローラ１７が周辺機器の変化等の情報をディスプレイ制御部１３にＯＳＤ情報として送信し、ディスプレイ制御部１３の保持しているＯＳＤ情報が新しいＯＳＤ情報に更新される。ここで、例えばディスプレイ制御部１３に新しいＯＳＤ情報が送信された場合には、周辺機器表示要求ボタン２３を押さなくても自動的に周辺機器情報をディスプレイ画面上に表示するように設定すると、ＰＣやディスプレイ装置の使用者に即座に状態変化を報告することが可能となり、使用者にとって利用上の効果が高まる。
【００７２】
ＯＳＤ機能を用いた本実施の形態ではＰＣ本体を介さずにディスプレイ装置だけで操作や処理を行なうので、アプリケーションソフトなどを追加せずに、ディスプレイ装置の利用者がハブに接続される周辺機器の情報を簡単に得ることができる。以上説明したように、ハブ制御部で周辺機器の接続情報を取得し、ディスプレイ装置のＯＳＤ機能を利用して表示することで、ユーザーにハブ制御部の状態や接続される周辺機器等の情報を、容易に提供することができる。
【００７３】
本実施の形態では、ハブに接続される周辺機器の情報を表示要求する際に、ディスプレイ装置１の有する周辺機器表示要求ボタン２３を押す例を示しているが、表示要求の手段はこの場合に限らず、ディスプレイ装置１を制御可能なリモコン等による表示要求を行うことも可能である。また、周辺機器情報の表示位置もディスプレイ装置１の有する通常の表示画面に限らず、情報表示を行う別の表示画面に表示することも可能である。
【００７４】
本発明の更なる実施の形態について以下に説明する。図１１は本発明による一実施形態のディスプレイ画面またはディスプレイのウィンドウ画面を示す図である。図１１において２５は本実施例のアプリケーションソフトを利用した表示画面、２６はコンピュータを示すコンピュータシンボル、２７は本発明のディスプレイ装置を示すディスプレイシンボル、２８は本発明のディスプレイ装置のダウンポート側に接続された周辺機器を示す周辺機器シンボル、２９は製品名や型番を表示する列、３０は周辺機器の電源の供給先を表示する列、３１は周辺機器の動作状態を表示する列を示す。コンピュータ以下の周辺機器の接続状態をツリー構造で示すには、コンピュータのソフトウェア制御により実現される。
【００７５】
図１１で、３２はシステムで未接続のダウンポート数を表示するラジオボタン、３３はカーソルで選択した周辺機器情報のみを詳しく表示するブラウザラジオボタン、３４はコンピュータから制御可能な機能が一覧できるオプションラジオボタン、３５は周辺機器使用の際のパスワードを設定し、パスワードを知らない使用者の使用を制限するパスワードラジオボタン、３６は表示画面２５内における設定を有効にする設定有効ボタン、３７は表示画面２５内における設定を無効にするキャンセルボタンである。これらのボタンを選択することによって行われる制御は、コンピュータのソフトウェア制御により実現される。また、図１１における２６〜２８までの表示シンボルや、３２〜３７のボタンはマウス等の操作手段によって選択可能なものである。
【００７６】
ＯＳＤ機能を用いた上記の実施の形態はディスプレイ装置のハブ制御部のダウンポート側に接続された周辺機器の情報を提供する際の実施の形態であるのに対し、本実施の形態はＰＣ本体に接続される全ての周辺機器情報をグラフィカルユーザーインターフェイスを使用して表示し、ユーザーにＰＣ以下の周辺機器の接続構成をツリー構造で提供するものである。
【００７７】
また、本実施の形態ではコンピュータにアプリケーションソフトを利用することで、周辺機器情報の提供だけではなく周辺機器の制御も可能となる。例えば本発明のディスプレイの追加機能として、省電力機能へ移行する際の所要時間を設定する項目を付けた場合、ディスプレイシンボル２７にカーソルを合わせて、オプションラジオボタン３４を有効にし、所要時間設定項目その他の補助機能を含む設定ウィンドウを表示させて、省電力機能移行までの所要時間等を設定することが可能である。コンピュータシンボル２６、ディスプレイシンボル２７、周辺機器シンボル２８は、その外観を簡単に視覚的に表したアイコン等で表示してもよい。
【００７８】
また上記の実施の形態はＯＳＤ機能を利用したハード的な情報提供であり、表示できる情報量が限られてくるが、本実施の形態では、ＰＣを用いたソフト的な制御によりＰＣ以下のシステム全体を把握できるため、グラフィカルユーザーインターフェイスによる詳細な周辺機器情報を提供することが可能となる。例えば周辺機器の種類、周辺機器の製造業者、周辺機器の型番や製品シリアル番号、周辺機器の動作状態、周辺機器の外観、システム全体の接続可能な未使用ポートの数、周辺機器使用時のパスワード設定などである。またシステム全体の消費電力を計算し、最も低消費電力となる構成をハブコントローラとディスプレイ制御部の報告を受けて、ソフトのを用いた制御によりユーザーに提案したり自動的に設定することも可能である。以上、説明したように、ＰＣ本体にアプリケーションソフトを追加することで、システム全体の詳細な周辺機器情報をシステムの使用者に提供し、容易に周辺機器を制御することができる。
【００７９】
【発明の効果】
以上説明したように本発明によると、アップポート電源およびディスプレイ本体の電源の状態に応じて、ハブのダウンポート電源供給元を自動的に選択することで、プラグアンドプレイのためにの通信機能を提供することができ、また省電力効果の向上を図ることもできる。また周辺機器の情報をディスプレイ装置に表示することで容易に周辺機器情報を提供することが可能となる。
【図面の簡単な説明】
【図１】本発明によるディスプレイ装置の一実施形態を示すブロック図である。
【図２】本発明によるディスプレイ装置の有するハブへの電源制御手段の一実施形態を示すブロック図である。
【図３】本発明によるディスプレイ装置のハブに接続される周辺機器への電源制御の動作手順を示すフローチャートである。
【図４】本発明による周辺機器の一実施形態を示すブロック図である。
【図５】本発明による周辺機器の有するハブへの電源制御手段の一実施形態を示すブロック図である。
【図６】本発明による周辺機器の有するハブへの電源制御手段のスイッチ制御に関する一実施形態を示す構成図である。
【図７】本発明による周辺機器の有するハブへの電源制御手段のスイッチ部分の外観の一実施形態を示す図である。
【図８】ＯＳＤ機能を用いてハブに接続される周辺機器情報を提供する本発明におけるディスプレイ装置の一実施形態を示すブロック図である。
【図９】ＯＳＤ機能を用いてハブに接続される周辺機器情報を提供する本発明におけるディスプレイ装置の有するハブの制御部の一実施形態を示すブロック図である。
【図１０】ＯＳＤ機能を利用した周辺機器情報の画面表示の一実施形態を示す概念図である。
【図１１】ソフト的な制御によって提供される周辺機器情報の画面表示の一実施形態を示す概念図である。
【符号の説明】
１…ディスプレイ装置、
２…コンピュータ、
３…映像信号入力端子、
４…垂直同期信号及び水平同期信号入力端子、
５…ハブアップポート端子、６、７、８、９…ハブダウンポート端子、
１０…ビデオ回路、１１…駆動回路、１２…表示ユニット、
１３…ディスプレイ制御部、１４…ハブ制御部、１５…マウス、
１６…キーボード、１７…ハブコントローラ、
１８、１９、２０、２１…ダウンポート電源制御ブロック、
２２…電源制御部、２３…周辺機器情報表示要求ボタン
２４…ＯＳＤ表示ウィンドウ、２５…アプリケーションソフト表示画面、
２６…コンピュータシンボル、２７…ディスプレイシンボル、
２８…周辺機器シンボル、２９…製品名表示列、
３０…電源供給元表示列、３１…周辺機器状態表示列、
３２…余りポート表示ラジオボタン、３３…ブラウザボタン、
３４…オプションラジオボタン、３５パスワードラジオボタン、
３６…設定有効ボタン、３７…設定キャンセルボタン、
４０…周辺機器、４１…周辺機器制御部、４２…周辺機器ファンクション、
５０…外部マニュアルスイッチ、５１…電源選択回路、
５２、５３、５４、５５…電源制御部、７０…つまみスイッチ、
９０…メモリ、９１…メモリ更新制御部、
２０１…画像表示信号出力端子、２０２…通信端子
【図１】
0003747564.tif 000002
【図２】
0003747564.tif 000003
【図３】
0003747564.tif 000004
【図４】
0003747564.tif 000005
【図５】
0003747564.tif 000006
【図６】
0003747564.tif 000007
【図７】
0003747564.tif 000008
【図８】
0003747564.tif 000009
【図９】
0003747564.tif 000010
【図１０】
0003747564.tif 000011
【図１１】
0003747564.tif 000012